(57)【要約】【課題】画質を損なうことのないように駆動回路によるパネルへの印加電圧値の制御を行うことのできるプラズマディスプレイ装置を提供する。【解決手段】走査電極と維持電極とデータ電極とを有する放電セルを複数備えたプラズマディスプレイパネルと、駆動電圧を発生して前記プラズマディスプレイパネルの各電極に印加する駆動回路とを有するプラズマディスプレイ装置において、維持放電を発生させるときに前記走査電極と前記維持電極に印加する維持パルス電圧を、プラズマディスプレイパネルを駆動している時間の累積に相当する累積駆動時間に応じて調整する電力調整処理を行い、前記維持パルス電圧の調整量は、プラズマディスプレイ装置の起動時に設定されるとともに停止するまで一定である。【選択図】図８
2011090123.tif 000002
【特許請求の範囲】
【請求項１】
走査電極と維持電極とデータ電極とを有する放電セルを複数備えたプラズマディスプレイパネルと、駆動電圧を発生して前記プラズマディスプレイパネルの各電極に印加する駆動回路とを有するプラズマディスプレイ装置において、維持放電を発生させるときに前記走査電極と前記維持電極に印加する維持パルス電圧を、プラズマディスプレイパネルを駆動している時間の累積に相当する累積駆動時間に応じて調整する電力調整処理を行い、前記維持パルス電圧の調整量は、プラズマディスプレイ装置の起動時に設定されるとともに停止するまで一定であることを特徴とするプラズマディスプレイ装置。
【請求項２】
プラズマディスプレイ装置の起動時に累積駆動時間と駆動時間閾値と比較し、前記累積駆動時間が前記駆動時間閾値以上の場合には、維持パルス電圧を低下させることにより電力調整処理を行うことを特徴とする請求項１に記載のプラズマディスプレイ装置。
【請求項３】
累積駆動時間を所定の時間間隔毎に更新する累積駆動時間加算部と、累積駆動時間と駆動時間閾値とを比較する駆動時間判定部と、累積駆動時間に応じて電力抑制値を設定し、前記電力抑制値を用いて維持パルス電圧を低下させる抑制値設定部とを備えたことを特徴とする請求項２に記載のプラズマディスプレイ装置。
【発明の詳細な説明】
【技術分野】
【０００１】
本発明は、薄型のテレビとして用いられるプラズマディスプレイ装置に関する。
【背景技術】
【０００２】
プラズマディスプレイパネル（以下「パネル」と略記）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層が形成され、誘電体層上に保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。
【０００３】
そして、表示電極対とデータ電極とが立体交差するように前面板と背面板とが対向配置されて密封され、内部の放電空間には放電ガスが封入されている。ここで、表示電極対とデータ電極との対向する部分に放電セルが形成される。このような構造のパネルにおいて、各放電セル内でガス放電により紫外線を発生させ、この紫外線で赤色、緑色及び青色の各色の蛍光体を励起発光させてカラー表示を行っている。
【０００４】
パネルを駆動する方法としては、１フィールド期間を複数のサブフィールドに分割し、発光させるサブフィールドの組合せによって階調表示を行う、いわゆるサブフィールド法が一般的である。各サブフィールドは、初期化期間、書込み期間及び維持期間を有している。初期化期間では初期化放電を発生させ、続く書込み動作に必要な壁電荷を各電極上に形成する。書込み期間では、表示を行う放電セルにおいて選択的に書込み放電を発生して壁電荷を形成する。維持期間では、走査電極と維持電極との間に維持電圧を印加し、書込み放電を起こした放電セルで維持放電を発生させ、その放電セルの蛍光体層を発光させることにより画像表示を行う。
【０００５】
ところで、維持放電を起こすために必要な最低の維持電圧（最低維持電圧とする）は放電の累積経過時間に伴い低下する。このような放電の累積経過時間による最低維持電圧の低下に伴う誤放電を防ぐため、駆動回路によるパネルへの印加電圧値（走査電極と維持電極との間に印加する電圧値）を、パネル駆動累積経過時間に対する維持電圧経時変化低減曲線に対応させて設定した維持電圧軽減曲線に合致するように、マイクロコンピュータ等の演算制御手段を用いて制御する技術が開示されている（例えば、特許文献１参照）。
【先行技術文献】
【特許文献】
【０００６】
【特許文献１】特開２００２−３６６０８８号公報
【発明の概要】
【発明が解決しようとする課題】
【０００７】
しかし、映像を表示している間に前述した駆動回路によるパネルへの印加電圧値を変化させると、その印加電圧値の変化前と変化後との間で映像の輝度が変化して映像の違和感が発生し、画質を損なうことになるという課題があった。本発明は、このような課題を解決するためになされたものであり、画質を損なうことのないように駆動回路によるパネルへの印加電圧値の制御を行うことを目的とする。
【課題を解決するための手段】
【０００８】
上記目的を達成するために、本発明は、走査電極と維持電極とデータ電極とを有する放電セルを複数備えたプラズマディスプレイパネルと、駆動電圧を発生して前記プラズマディスプレイパネルの各電極に印加する駆動回路とを有するプラズマディスプレイ装置において、維持放電を発生させるときに前記走査電極と前記維持電極に印加する維持パルス電圧を、プラズマディスプレイパネルを駆動している時間の累積に相当する累積駆動時間に応じて調整する電力調整処理を行い、前記維持パルス電圧の調整量は、プラズマディスプレイ装置の起動時に設定されるとともに停止するまで一定であることを特徴とする。
【発明の効果】
【０００９】
本発明によれば、映像の表示中に輝度が変化することによって画質が損なわれることがないように、パネルへの印加電圧値の制御を行うことができ、消費電力の上昇やパネルの焼き付きの発生を抑制することができる。
【図面の簡単な説明】
【００１０】
【図１】本発明の実施の形態におけるプラズマディスプレイ装置に用いるパネルの分解斜視図
【図２】同パネルの電極配列図
【図３】同パネルの各電極に印加する駆動電圧波形図
【図４】同パネルを駆動するための駆動回路の回路ブロック図
【図５】同プラズマディスプレイ装置の電力制御部の構成図
【図６】同プラズマディスプレイ装置の電源起動時のフローチャート
【図７】同プラズマディスプレイ装置の通電中のフローチャート
【図８】本発明の実施の形態における維持電力の抑制を説明する図
【発明を実施するための形態】
【００１１】
以下、本発明の実施の形態におけるプラズマディスプレイ装置について図面を用いて説明する。
【００１２】
図１は、本発明の実施の形態におけるプラズマディスプレイ装置に用いるパネル１０の構造を示す分解斜視図である。ガラス製の前面板１１上には、走査電極１２と維持電極１３とからなる表示電極対１４が複数形成されている。そして走査電極１２と維持電極１３とを覆うように誘電体層１５が形成され、その誘電体層１５上に保護層１６が形成されている。背面板２１上にはデータ電極２２が複数形成され、データ電極２２を覆うように誘電体層２３が形成され、更にその上に井桁状の隔壁２４が形成されている。隔壁２４の側面及び誘電体層２３上には赤色（Ｒ）、緑色（Ｇ）及び青色（Ｂ）の各色に発光する蛍光体層２５が設けられている。
【００１３】
これら前面板１１と背面板２１とは、微小な放電空間を挟んで表示電極対１４とデータ電極２２とが交差するように対向配置され、その外周部をガラスフリットなどの封着材によって封着している。そして放電空間には、例えばネオンとキセノンの混合ガスが放電ガスとして封入されている。放電空間は隔壁２４によって複数の区画に仕切られており、表示電極対１４とデータ電極２２とが交差する部分に放電セルが形成されている。そして、これらの放電セルが放電、発光することにより画像が表示される。
【００１４】
図２はパネル１０の電極配列図である。パネル１０には、水平方向に長いｎ本の走査電極ＳＣ１〜ＳＣｎ（図１の走査電極１２）及びｎ本の維持電極ＳＵ１〜ＳＵｎ（図１の維持電極１３）が配列され、垂直方向に長いｍ本のデータ電極Ｄ１〜Ｄｍ（図１のデータ電極２２）が配列されている。１対の走査電極ＳＣｉ及び維持電極ＳＵｉ（ｉ＝１〜ｎ）と１つのデータ電極Ｄｊ（ｊ＝１〜ｍ）とが交差した部分に放電セルが形成され、放電空間内に（ｍ×ｎ）個の放電セルが形成される。
【００１５】
次に、パネル１０を駆動するための駆動電圧波形とその動作について説明する。パネル１０はサブフィールド法、すなわち１フィールド期間を複数のサブフィールドに分割し、サブフィールド毎に各放電セルの発光・非発光を制御することによって階調表示を行う方法を用いて駆動する。それぞれのサブフィールドは初期化期間、書込み期間及び維持期間を有している。例えば、１フィールド期間を１０個のサブフィールド（第１ＳＦ〜第１０ＳＦ）に分割し、各サブフィールドの輝度重みを（１，２，３，６，１１，１８，３０，４４，６０，８０）とする。
【００１６】
初期化期間では初期化放電を発生し、続く書込み放電に必要な壁電荷を各電極上に形成する初期化動作を行う。初期化動作には、全ての放電セルで初期化放電を発生させる全セル初期化動作と、直前のサブフィールドにおいて維持放電を行った放電セルのみで初期化放電を発生させる選択初期化動作とがある。書込み期間では、発光させるべき放電セルで選択的に書込み放電を発生し壁電荷を形成する。そして維持期間では、輝度重みに応じた数の維持パルスを表示電極対１４に印加し、書込み放電を発生した放電セルで維持放電を発生させることで発光させる。
【００１７】
図３は、本発明の実施の形態におけるパネル１０の各電極に印加する駆動電圧波形図である。図３には、全セル初期化動作を行うサブフィールド（第１ＳＦ）と選択初期化動作を行うサブフィールド（第２ＳＦ）とが示されている。
【００１８】
第１ＳＦの初期化期間の前半部では、データ電極Ｄ１〜Ｄｍ、維持電極ＳＵ１〜ＳＵｎに対してそれぞれ０Ｖを印加し、走査電極ＳＣ１〜ＳＣｎに対し、０Ｖから電圧Ｖｉ１に上昇した後、電圧Ｖｉ１から電圧Ｖｉ２まで緩やかに上昇するランプ電圧を印加する。電圧Ｖｉ２は、直前の状態にかかわらず全ての放電セルにおいて放電を生じさせることができる電圧に設定されており、全ての放電セルで微弱な初期化放電が起こる。そして、走査電極ＳＣ１〜ＳＣｎ上部に負の壁電圧が蓄積されると共に、データ電極Ｄ１〜Ｄｍ上部及び維持電極ＳＵ１〜ＳＵｎ上部には正の壁電圧が蓄積される。ここで、電極上部の壁電圧とは、電極上に形成された保護層１６上や蛍光体層２５上などに蓄積された壁電荷により生じる電圧である。
【００１９】
このときの初期化放電では、続く初期化期間の後半部において壁電圧の最適化を図ることを見越して、過剰に壁電圧を蓄えておく。こうして蓄えられる過剰な壁電圧は電圧（初期化電圧という）Ｖｉ２によって制御することができる。そして、初期化電圧Ｖｉ２の値は定常ではなく、必要に応じて変化させてもよい。
【００２０】
初期化期間の後半部では、維持電極ＳＵ１〜ＳＵｎに正の電圧Ｖｅ１を印加し、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降するランプ電圧を印加する。この間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上部の負の壁電圧及び維持電極ＳＵ１〜ＳＵｎ上部の正の壁電圧が弱められ、データ電極Ｄ１〜Ｄｍ上部の正の壁電圧は書込み動作に適した値に調整される。以上により、全ての放電セルに対して初期化放電を行う全セル初期化動作が終了する。
【００２１】
そしてこのときの放電は、初期化期間の前半部において蓄えられた過剰な壁電圧に依存するため、初期化電圧Ｖｉ２が低く初期化期間前半部の初期化放電が弱い場合、初期化期間後半部の初期化放電も弱くなる。逆に初期化電圧Ｖｉ２が高い場合、初期化期間前半部及び初期化期間後半部の初期化放電が強くなる。
【００２２】
続く書込み期間では、維持電極ＳＵ１〜ＳＵｎに電圧Ｖｅ２を印加し、走査電極ＳＣ１〜ＳＣｎに電圧Ｖｃを印加する。次に、１行目の走査電極ＳＣ１に負の走査パルス電圧Ｖａを印加すると共に、データ電極Ｄ１〜Ｄｍのうち１行目に発光させるべき放電セルのデータ電極Ｄｋ（ｋ＝１〜ｍ）に正の書込みパルス電圧Ｖｄを印加する。このとき、１行目の放電セルのうち書込みパルス電圧Ｖｄが印加された放電セルでは書込み放電が発生し、走査電極ＳＣ１上に正の壁電圧が蓄積され、維持電極ＳＵ１上に負の壁電圧が蓄積され、データ電極Ｄｋ上に負の壁電圧が蓄積される。
【００２３】
このようにして、１行目に発光させるべき放電セルで書込み放電を起こし、その放電セルにおいて各電極上に壁電圧を蓄積する書込み動作が行われる。一方、書込みパルス電圧Ｖｄを印加しなかったデータ電極Ｄ１〜Ｄｍと走査電極ＳＣ１との交差部との電圧は放電開始電圧を超えないので、書込み放電は発生しない。以上のような書込み動作を、走査電極ＳＣｎを有するｎ行目の放電セルに至るまで行い、書込み期間が終了する。
【００２４】
続く維持期間では、まず走査電極ＳＣ１〜ＳＣｎに正の維持パルス電圧Ｖｓを印加すると共に維持電極ＳＵ１〜ＳＵｎに０Ｖを印加する。すると書込み放電を起こした放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり、放電開始電圧を超える。そして、走査電極ＳＣｉと維持電極ＳＵｉとの間に維持放電が起こり、このとき発生した紫外線により蛍光体層２５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積され、書込み期間において書込み放電が起きなかった放電セルでは維持放電は発生せず、初期化期間の終了時における壁電圧が保たれる。
【００２５】
続いて、走査電極ＳＣ１〜ＳＣｎには０Ｖを印加し、維持電極ＳＵ１〜ＳＵｎには維持パルス電圧Ｖｓを印加する。すると、維持放電を起こした放電セルでは、維持電極ＳＵｉ上と走査電極ＳＣｉ上との電圧差が放電開始電圧を超えるため再び維持電極ＳＵｉと走査電極ＳＣｉとの間に維持放電が発生し、維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに交互に輝度重みに輝度倍率を乗じた数の維持パルスを印加し、表示電極対１４の電極間に電位差を与えることにより、書込み期間において書込み放電を起こした放電セルで維持放電が継続して行われる。
【００２６】
そして、維持期間の最後には走査電極ＳＣ１〜ＳＣｎに電圧Ｖｓを印加してから所定時間後に維持電極ＳＵ１〜ＳＵｎに電圧Ｖｅ１を印加することで、走査電極ＳＣ１〜ＳＣｎと維持電極ＳＵ１〜ＳＵｎとの間にいわゆる細幅パルス状の電圧差を与えて、データ電極Ｄｋ上の正の壁電圧を残したまま、走査電極ＳＣｉ及び維持電極ＳＵｉ上の壁電圧の一部又は全てを消去している。
【００２７】
次に選択初期化動作を行うサブフィールド（第２ＳＦ）の動作について説明する。選択初期化動作を行う初期化期間では、維持電極ＳＵ１〜ＳＵｎに電圧Ｖｅ１を印加し、データ電極Ｄ１〜Ｄｍに０Ｖを印加し、走査電極ＳＣ１〜ＳＣｎに電圧Ｖｉ５から電圧Ｖｉ４まで緩やかに下降するランプ電圧を印加する。このとき、直前のサブフィールド（ここでは第１ＳＦ）の維持期間で維持放電を起こした放電セルでは微弱な初期化放電が発生し、走査電極ＳＣｉ上及び維持電極ＳＵｉ上の壁電圧が弱められる。またデータ電極Ｄｋに対しては、直前のサブフィールドでの維持放電によってデータ電極Ｄｋ上に十分な正の壁電圧が蓄積されているので、この壁電圧の過剰な部分が放電され、書込み動作に適した壁電圧に調整される。
【００２８】
一方、直前のサブフィールドで維持放電を発生しなかった放電セルでは、選択初期化動作を行う初期化期間において放電が発生することはなく、直前のサブフィールドの初期化期間終了時における壁電荷がそのまま保たれる。このように選択初期化動作は、直前のサブフィールドの維持期間で維持動作を行った放電セルのみにおいて初期化放電を行う動作であり、書込み動作を行う前の放電セルの状態を、全セル初期化動作を行った後の放電セルと同様の状態にする動作となっている。なお、第２ＳＦの書込み期間及び維持期間における動作は、それぞれ第１ＳＦの書込み期間及び維持期間における動作と同様である。また、第３ＳＦ〜第１０ＳＦの各期間での動作は第２ＳＦの各期間での動作と同様である。
【００２９】
図４は本発明の実施の形態におけるパネル１０を駆動するための駆動回路の回路ブロック図であり、プラズマディスプレイ装置の構成を示している。プラズマディスプレイ装置３０は、パネル１０、画像信号処理回路３１、データ電極駆動回路３２、走査電極駆動回路３３、維持電極駆動回路３４、タイミング発生回路３５、電力制御部３６、および各回路ブロックに必要な電源を供給する電源回路(図示せず)を備えている。
【００３０】
画像信号処理回路３１は、入力された画像信号をサブフィールド毎の発光・非発光を示す画像データに変換する。データ電極駆動回路３２は、サブフィールド毎の画像データを各データ電極Ｄ１〜Ｄｍに対応する信号に変換し、各データ電極Ｄ１〜Ｄｍを駆動する。タイミング発生回路３５は、水平同期信号Ｈ、垂直同期信号Ｖを基にして、各回路ブロックの動作を制御する各種のタイミング信号を発生し、各回路ブロックへ供給する。走査電極駆動回路３３は、タイミング信号に基づいて各走査電極ＳＣ１〜ＳＣｎを駆動する。維持電極駆動回路３４は、タイミング信号に基づいて各維持電極ＳＵ１〜ＳＵｎを駆動する。
【００３１】
次に、電力制御部３６について説明する。図５に示すように、電力制御部３６は不揮発性メモリ３７とマイクロコンピュータにより構成される演算処理部３８とから構成されている。不揮発性メモリ３７には、プラズマディスプレイパネルを駆動している時間の累積に相当する累積駆動時間、電力制御状態の切り換えの判定を行うための駆動時間閾値、維持パルス電圧に対する抑制パラメータである電力抑制値が保存されている。演算処理部３８は、累積駆動時間をカウントし加算する累積駆動時間加算部３９、及び電力調整処理部４０から構成されている。電力調整処理部４０は、累積駆動時間が駆動時間閾値以上であるか否かを判定する駆動時間判定部４１と、駆動時間閾値以上である場合に電力調整を行うための抑制値設定部４２とを備えている。累積駆動時間は、プラズマディスプレイ装置の使用を開始してから、プラズマディスプレイ装置の電源を入れていた時間（通電時間）の合計の時間に相当する。
【００３２】
次に、電力制御部３６の動作について説明する。演算処理部３８内の累積駆動時間加算部３９は、不揮発性メモリ３７から累積駆動時間を読み込み、プラズマディスプレイ装置３０の電源を起動した時点から一定の時間経過毎に１ずつ前記累積駆動時間を加算し、加算後の累積駆動時間を不揮発性メモリ３７に書込むという処理を行う。電力調整処理部４０の駆動時間判定部４１は、プラズマディスプレイ装置３０の電源を起動した時点で不揮発性メモリ３７から取得した累積駆動時間と駆動時間閾値とを比較する。そして、累積駆動時間が駆動時間閾値よりも小さい場合には抑制値設定部４２を動作させない。一方、累積駆動時間が駆動時間閾値以上であれば抑制値設定部４２を動作させ、抑制値設定部４２はプラズマディスプレイ装置３０の電源が切れるまで動作し続け、電源の起動時に不揮発性メモリ３７から読み込んだ電力抑制値を用いて、走査電極および維持電極に印加する維持パルス電圧Ｖｓの値を補正することにより電力調整処理を行う。すなわち、電力抑制値を用いて維持パルス電圧Ｖｓの値を低下させる。なお、駆動時間閾値が２つ以上存在する場合には、累積駆動時間が最小の駆動時間閾値よりも小さい場合には抑制値設定部４２を動作させない。そして累積駆動時間が最小の駆動時間閾値以上の場合には、累積駆動時間に応じて設定される電力抑制値を用いて電力調整処理が行われる。
【００３３】
このように本実施の形態では、累積駆動時間に応じて維持パルス電圧Ｖｓの値を制御しているが、維持パルス電圧Ｖｓの値を制御する電力抑制値はプラズマディスプレイ装置の起動時において設定され、映像を表示している間は電力抑制値を変化させないようにしている。すなわち、映像を表示している途中で維持パルス電圧Ｖｓの値が変化しないようにしており、維持パルス電圧Ｖｓの調整量はプラズマディスプレイ装置の起動時に設定されるとともに停止するまで一定である。ここで、映像の表示中においても累積駆動時間と駆動時間閾値との比較を行い、駆動時間閾値以上になったと判断した瞬間に維持パルス電圧Ｖｓをそれまでの値よりも低い値に変化させると、映像の表示中に突然輝度が低下したように表示されてしまい、映像の違和感が発生することになる。このような現象の発生を抑制するために本実施の形態では、プラズマディスプレイ装置３０の電源起動時に図６のフローチャートに従って処理を行い、その後のプラズマディスプレイ装置３０の通電中には図７のフローチャートに従って処理を行う。
【００３４】
図６に示すように、プラズマディスプレイ装置３０の電源を入れると、演算処理部３８は不揮発性メモリ３７から累積駆動時間（ｔ）、駆動時間閾値（Ｔ）及び電力抑制値を取得する。その後、電力調整処理部４０内の駆動時間判定部４１にて電源起動時における累積駆動時間が駆動時間閾値を超えているか否かを判別する。累積駆動時間が駆動時間閾値よりも小さい場合（Ｔ＞ｔ）、通電中の動作へ移る。累積駆動時間が駆動時間閾値以上の場合（Ｔ≦ｔ）、不揮発性メモリ３７から読み込んだ電力抑制値を用いて、電力調整処理部４０内にある抑制値設定部４２にて、電力値に対して抑制処理を行う。
【００３５】
図７に示すように、プラズマディスプレイ装置３０を起動して図６に示す処理が終わってから電源を停止するまでの間、すなわちプラズマディスプレイ装置３０の通電中では、演算処理部３８は駆動時間のカウントを行う。駆動時間は、時間分解能の高い、比較的短い周期の間隔でカウントする必要は無く、例えば３０分毎といった所定の時間間隔（単位駆動時間）毎にカウンタのクリアと累積駆動時間の加算を行う。累積駆動時間の更新は、次回の電源投入時に設定を反映するため、不揮発性メモリ３７への記録により行われる。すなわち、プラズマディスプレイ装置３０の電源を入れた後、単位駆動時間が経過したか否かを判定し、単位駆動時間が経過したときには累積駆動時間に１を加えてその値を更新し、更新した累積駆動時間を不揮発性メモリ３７へ書込む。そして、累積駆動時間を更新した時点から単位駆動時間が経過したか否かを判定し、単位駆動時間が経過したときには累積駆動時間を更新して不揮発性メモリ３７へ書込む動作を繰り返す。このように、単位駆動時間毎に累積駆動時間の更新が行われる。前述している通り、映像の表示中に累積駆動時間が駆動時間閾値以上となった場合でも、維持パルス電圧Ｖｓの値を変化させることはない。
【００３６】
図８は、本実施の形態による維持電力の抑制を説明する図である。図８の上側の図は累積駆動時間に対する維持電力の変化を示しており、図８の下側の図は累積駆動時間に対する電力抑制値の変化を示している。ここで維持電力は、維持期間において走査電極と維持電極に維持パルス電圧を印加して維持放電を発生させるときに必要な電力であり、初期電力はプラズマディスプレイ装置を使い始める時点での維持電力である。なお、駆動時間閾値が２つ存在する場合を示している。実線ａは本実施の形態による電力調整処理を行ったときの維持電力の変化を示しており、実線ｂは電力調整処理を行わなかったときの維持電力の変化を示している。電力調整処理を行わない場合、累積駆動時間が経過するにつれて或る時点までは維持電力が増加しているが、これは維持放電が発生するために必要な維持電圧が徐々に低下するためである。その後、維持電力は累積駆動時間が経過するにつれて次第に低下しているが、前述した或る時点では維持電力がかなり大きくなり、消費電力の上昇やパネルの焼き付き（初期の色バランスが変化し、あたかも画面が焼き付いたように特定の色残像が表示されたままになる現象）が発生する可能性がある。
【００３７】
本実施の形態では、実線ｃに示すように、累積駆動時間が時間ｔ１（第１の駆動時間閾値以後の時間のうち最初にプラズマディスプレイ装置の電源を入れる時）のときに電力抑制値Ｗ１を設定することで、電力抑制値Ｗ１によって維持パルス電圧Ｖｓが低下して設定されるため、実線ａに示すように維持電力を低下させることができる。その後、再び維持電力が上昇するが、累積駆動時間が時間ｔ２（第２の駆動時間閾値以後の時間のうち最初にプラズマディスプレイ装置の電源を入れる時）のときに、それまでの電力抑制値Ｗ１に電力抑制値Ｗ２を加算することで、維持パルス電圧Ｖｓがそれまでの値よりも低下して設定されるため、維持電力を低下させることができる。このように電力調整処理を行うことにより、消費電力の上昇やパネルの焼き付きの発生を抑制することができる。さらに、本実施の形態では電力抑制値の変更をプラズマディスプレイ装置３０の電源起動時に行い映像の表示中に行うことはないため、映像の表示中では維持パルス電圧Ｖｓが変化することがなく、映像の表示中に突然輝度が低下するような現象の発生を抑制することができる。
【００３８】
なお、本実施の形態では駆動時間閾値として第１の駆動時間閾値、第２の駆動時間閾値を設定した場合について説明したが、設定する駆動時間閾値の個数や大きさ、電力抑制値の大きさは、プラズマディスプレイ装置の維持電力の累積駆動時間に対する変化の特性に応じて設定すればよい。
【産業上の利用可能性】
【００３９】
本発明は、映像の表示中に輝度が変化することによって画質が損なわれることがないように、パネルへの印加電圧値の制御を行うことができ、プラズマディスプレイ装置に対して有用である。
【符号の説明】
【００４０】
１０  パネル
１１  前面板
１２  走査電極
１３  維持電極
１４  表示電極対
２１  背面板
２２  データ電極
３０  プラズマディスプレイ装置
３１  画像信号処理回路
３２  データ電極駆動回路
３３  走査電極駆動回路
３４  維持電極駆動回路
３５  タイミング発生回路
３６  電力制御部
３７  不揮発性メモリ
３８  演算処理部
３９  累積駆動時間加算部
４０  電力調整処理部
４１  駆動時間判定部
４２  抑制値設定部
【図１】
2011090123.tif 000003
【図２】
2011090123.tif 000004
【図３】
2011090123.tif 000005
【図４】
2011090123.tif 000006
【図５】
2011090123.tif 000007
【図６】
2011090123.tif 000008
【図７】
2011090123.tif 000009
【図８】
2011090123.tif 000010